(57)【要約】      （修正有）【課題】ユーザーが異なる音響と大小の単体サラウンド音響を簡単に組み合わせることのできる音響装置を提供する。【解決手段】組み合わせ式単体サラウンド音響は、サラウンド音響スピーカー８を複数の結合可能な殻体６状に設計することにより、サラウンド音響のスピーカーはユーザーの家の大小、或いは、テレビの大小により長さの調整ができる。各殻体６上に設置されるスピーカーは、更に、ユーザーの要求により異なる性質のスピーカー、例えば、主流スピーカー、中央スピーカー、サラウンドスピーカー、及び、超低音スピーカー等を選択し、個人の好みにより適当な音声にアレンジすることができる。各スピーカー上に複数の出力入力端子を設置して、スピーカーとスピーカー間の信号と電源上の連結が可能である。どんな形式の組み合わせ、或いは、殻体の数量の接続でも、完璧な再生が実行できる。【選択図】図２
0003142445.tif 000002
【実用新案登録請求の範囲】
【請求項１】
組み合わせ式単体サラウンド音響装置であって、
異なる性質の音声を提供する複数のスピーカーと、
外来音声信号を受信すると共に、前記スピーカーの再生を制御し、外来音声信号を受信し、発送する音声信号入力インターフェース、前記音声信号を処理し、対応する前記スピーカーに伝送する制御ユニット、前記制御ユニットに、前記スピーカーと信号と電源上の連接を提供する複数の出力端、及び、上述の素子に必要な電源を提供する電源入力端、から構成される中央制御装置と、
前記中央制御装置を容置すると共に、取り出し可能な結合を有し、下方に複数の第一スピーカースロットを有し、前記スピーカーを装着する中央制御装置用殻体と、
少なくとも一つの第二スピーカースロットを有し、前記スピーカーに取り出し可能な結合を提供し、両端に連結機構を有して、その他の、或いは、中央制御装置用殻体と相互に接続する少なくとも一つのスピーカー用殻体と、
前記中央制御装置用殻体、及び、前記スピーカー用殻体を被覆するスピーカー網と、からなることを特徴とする組み合わせ式単体サラウンド音響装置。
【請求項２】
異なる性質の前記スピーカーは、主流スピーカー、中央スピーカー、サラウンドスピーカー、超低音スピーカー等であることを特徴とする請求項１に記載の組み合わせ式単体サラウンド音響装置。
【請求項３】
前記中央制御装置用殻体両端は連接機構を有することを特徴とする請求項１に記載の組み合わせ式単体サラウンド音響装置。
【請求項４】
前記中央制御装置は、前記出力端子により、音声信号を音響内の全てのスピーカーに伝送することを特徴とする請求項１に記載の組み合わせ式単体サラウンド音響装置。
【請求項５】
前記中央制御装置下方は、更に、散熱板、及び、散熱フィレ片を有し、前記中央制御装置の過熱を防止することを特徴とする請求項１に記載の組み合わせ式単体サラウンド音響装置。
【請求項６】
前記スピーカー網は多様でユーザーが選択できることを特徴とする請求項１に記載の組み合わせ式単体サラウンド音響装置。
【請求項７】
前記スピーカー網後方に更にフックを有することを特徴とする請求項１に記載の組み合わせ式単体サラウンド音響装置。
【請求項８】
前記フックは前記スピーカー網を平面に掛設できるようにすることを特徴とする請求項７に記載の組み合わせ式単体サラウンド音響装置。
【請求項９】
前記電源入力端は更にヒューズを有し、前記中央制御装置の過電流損壊を防止することを特徴とする請求項１に記載の組み合わせ式単体サラウンド音響装置。
【考案の詳細な説明】
【技術分野】
【０００１】
本考案は、組み合わせ式単体サラウンド音響装置に関するものであって、特に、音響全体の大きさ、及び、スピーカー数量がユーザーによってアレンジできる単体サラウンド音響装置に関するものである。
【背景技術】
【０００２】
現在、ユーザーの視聴上における要求は日増しに高まり、家庭に理想のホームシアターを有することを望んでいる。
ディスプレイをグレードアップする以外に、優良なサラウンド音響を有して、自分の家を「映画館専用システムの縮小版」にするのを好む。
よって、映画館の音響効果をコンセプトとするサラウンド音響が不断にリリースされ、現在、市場のサラウンド音響は複数型であり、つまり、ユーザーは、周囲に異なる音響個体を配置してサラウンド効果を得ている。
この種のサラウンド音響は室内空間を占有するだけでなく、音響と音響間の接続の問題もある。この他、ユーザーが各スピーカーに対し電源線を配置する場合、サラウンド音響を配備するのに面倒な工程と莫大な費用がかかる。
【０００３】
近年、多くの単体サラウンド音響の設計と技術が開発され、主なコンセプトは、ユーザーの家中の壁により音声を反響させて、公知の複数型サラウンド音響の効果を達成するものがある。
この類のシステムは、ユーザーの家の大きさは異なるので、音声の反響効率も家の大小によって差異があることが大きな欠点である。
この他、全部のスピーカーは一個体上に整合されるので、ユーザーは自身でスピーカーの組み合わせアレンジが出来ない。一スピーカー、或いは、ホストが故障すると、音響全体をスピーカーと一緒に修理に出す必要があり、非常に面倒である。
【考案の開示】
【考案が解決しようとする課題】
【０００４】
本考案は、異なるスピーカーの種類と制御装置を利用し、殻体を組み合わせる設計により、ユーザーが異なる音響と大小の単体サラウンド音響を組み合わせることができる組み合わせ式単体サラウンド音響装置を提供することを目的とする。
【０００５】
本考案は、ユーザーが簡単で快速に組み合わせることができ、スピーカーの交換やメンテナンスを容易にすることをもう一つの目的とする。
【課題を解決するための手段】
【０００６】
本考案の組み合わせ式単体サラウンド音響装置は、異なる性質の音声を提供する複数のスピーカーと、外来音声信号を受信すると共に、スピーカーの再生を制御し、音声信号入力インターフェース、音量制御インターフェース、制御ユニット、複数の出力端、及び、電源入力端から構成される中央制御装置と、中央制御装置を容置すると共に、取り出し可能な結合を有し、下方に複数の第一スピーカースロットを有し、スピーカーを装着する中央制御装置用殻体と、少なくとも一つの第二スピーカースロットを有し、スピーカーに取り出し可能な結合を提供し、両端に連結機構を有して、その他の、或いは、中央制御装置用殻体と相互に接続する少なくとも一つのスピーカー用殻体と、中央制御装置用殻体、及び、スピーカー用殻体を被覆するスピーカー網と、からなる。
【考案の効果】
【０００７】
本考案の組み合わせ式単体サラウンド音響装置により、異なるスピーカーの種類と制御装置が殻体組み合わせ式設計により呈現され、これにより、自分の好みで異なるスピーカー、音響効果、及び、スピーカー大小がアレンジでき、同時に、交換とメンテナンスが便利で、コスト節約が達成される。
【考案を実施するための最良の形態】
【０００８】
図１は、本考案のサラウンド音響組み立て図である。公知のテレビ、液晶テレビ、プラズマテレビ等のディスプレイの上下方、或いは、家具に設置することができる。
図２は、本考案の立体構造図である。主体装置は、複数のスピーカーと、外来音声信号を受信すると共に、スピーカー全ての再生を制御する中央制御装置２と、からなる。
中央制御装置２は、音声信号源を受信する音声信号入力インターフェースと、音声信号を処理すると共に、対応するスピーカーに伝送する制御ユニットと、スピーカーと信号と電源上の連接を提供する複数の出力端子と、上述の素子に必要な電源を提供する電源入力端と、からなる。電源入力端はヒューズを有し、過大電流が中央制御装置を損壊するのを防止する。
本考案の主体装置は、更に、中央制御装置２を装着することができる中央制御装置用殻体４、及び、異なる数量のスピーカーを装着する複数の殻体、例えば、スピーカー用殻体６、或いは、単一スピーカー用殻体１０を有する。
【０００９】
図４で示されるように、中央制御装置用殻体４と中央制御装置２は取り出し可能な結合を有し、一般の電子用品中、中央制御装置は、その他のハードウェアより高い故障率であり、よって、中央制御装置２は取り出し可能な設計で、中央制御装置２のメンテナンスを更に簡単にしている。
中央制御装置用殻体４下方は、少なくとも一つの第一スピーカースロットを設置して、スピーカー８を装着すると共に、スピーカー８と取り出し可能な結合を有する。
スピーカー用殻体は、長さの違いにより各自異なる数目の第二スピーカースロットを有する。これらの第二スピーカースロットとスピーカー８も同じように取り出し可能に結合される。
例えば、本考案の好ましい実施例中、複数のスピーカー用殻体６は三個の第二スピーカースロットを有し、単一スピーカー用殻体１０は一つの第二スピーカースロットだけ有する。
第一スピーカースロット、及び、第二スピーカースロットが使用するスピーカー８の種類は、主流スピーカー、中央スピーカー、サラウンドスピーカーと超低音スピーカー等、ユーザー、或いは、メーカーにより選択され、制限がない。
【００１０】
図３は、スピーカー８を中央制御装置用殻体４、複数のスピーカー用殻体６、及び、単一のスピーカー用殻体１０から分離した状態図である。
各スピーカー用殻体、及び、中央制御装置用殻体４両端は連結機構を有して相互に接続でき、音響システム辺縁の殻体に設置される場合、装飾蓋６により外観を修飾することができる。
この他、殻体の連結機構は異なる線路を穿過する線路孔を有する。
よって、各スピーカー８に必要な信号線、及び、電源線はこれらの線路孔により統一されて中央制御装置２に接続され、中央制御装置２は出力端子により信号を各スピーカー８に伝送する。
最後に、本考案の本体装置はスピーカー網１２を有し、中央制御装置用殻体４、及び、スピーカー用殻体を被覆する。
異なる組み合わせによって、本考案の組み合わせ式単体サラウンド音響装置は異なる長さを有するので、スピーカー網１２は異なる長さの規格と様式をユーザーに提供する。どんな尺寸のスピーカー網１２後面にもフック１４を設置し、本考案の組み合わせ式単体サラウンド音響は壁などの平面に掛設することができる。
【００１１】
中央制御装置２が過熱により損壊するのを防止するため、本考案の組み合わせ式単体サラウンド音響装置は、更に、中央制御装置２の下方に、図５で示されるような散熱板１８、及び、散熱フィレ片２０を設置する。大きい散熱板１８と複数のフィレ片を有する散熱フィレ片２０により、中央制御装置２はいかなるファンの補助もない状態下で、熱源を散発させる。
図６は、散熱板１８、及び、散熱フィレ片２０を中央制御装置２に設置した状態図である。散熱板１８と散熱フィレ片２０を装着した後の中央制御装置２は、装置２と中央制御装置用殻体４の取り出しに影響しない。よって、本考案の各主要部位はほぼ簡単に取り外して分離でき、メンテナンスや交換が更に簡単になる。
【００１２】
本考案では好ましい実施例を前述の通り開示したが、これらは決して本考案に限定するものではなく、当該技術を熟知する者なら誰でも、本考案の精神と領域を脱しない範囲内で各種の変動や潤色を加えることができ、従って本考案明の保護範囲は、実用新案請求の範囲で指定した内容を基準とする。
【図面の簡単な説明】
【００１３】
【図１】本考案の立体図である。
【図２】本考案の立体構造分解図である。
【図３】本考案の立体構造分解図である。
【図４】本考案の中央制御装置の抜き差し構造を示す図である。
【図５】本考案の中央制御装置の散熱構造を示す図である。
【図６】本考案の中央制御装置の散熱構造を示す図である。
【符号の説明】
【００１４】
２    中央制御装置
４    中央制御装置用殻体
６    複数のスピーカー用殻体
８    スピーカー
１０  単一のスピーカー用殻体
１２  スピーカー網
１４  フック
１６  装飾蓋
１８  散熱座
２０  散熱フィレ片
【図１】
0003142445.tif 000003
【図２】
0003142445.tif 000004
【図３】
0003142445.tif 000005
【図４】
0003142445.tif 000006
【図５】
0003142445.tif 000007
【図６】
0003142445.tif 000008